(57)【特許請求の範囲】
【請求項１】
光ディスクに記録されたオーディオデータを読み取る読取部と、前記読取部が読み取ったオーディオデータを記憶する記憶部と、前記記憶部に記憶されたオーディオデータの読み出し速度及び読み出し順序を指示する回転操作部とを備えた再生装置において、
回転可能に軸支され静電容量を検出する電極シート部を備える操作円盤部と、
前記操作円盤部に固定され前記電極シートと電気的に接続する回転軸と、
前記回転軸を軸支すると共に前記回転軸と電気的に接続する軸受部と、
前記回転軸及び前記軸受部を介して前記電極シート部が検出した前記操作円盤部の静電容量の放電カウントの変化に基づいて操作円盤部に指がタッチされたか否かを判別するタッチ判別部とを備え、
前記電極シート部は、下面に導電性を有する細い電極パターンから成り前記電極シート部の中央を略中心としたそれぞれ直径が異なる同心円型を形成する複数の円型電極を備えることを特徴とする再生装置。
【請求項２】
請求項１に記載の再生装置において、
前記電極シート部の前記複数の円型電極は、内側から外側の円型電極になるのに伴って隣の円型電極までの幅が次第に小さくなるように形成され、また、それぞれの円型電極の太さが内側から外側の円型電極になるのに伴って次第に太くなるように形成されていることを特徴とする再生装置。
【請求項３】
請求項１に記載の再生装置において、
前記電極シート部は、前記複数の円型電極の太さがそれぞれ略同一であり、隣の前記円型電極までの幅がそれぞれ略同一であることを特徴とする再生装置。
【請求項４】
請求項１乃至請求項３のいずれか１項に記載の再生装置において、
前記電極シート部は、導電性を有する薄い円盤型を形成し電極シート部の略中央に配設され前記回転軸と電気的に接続する中央電極と、
導電性を有する細い電極パターンから成り前記複数の円型電極及び前記中央電極を直線で電気的に接続する直線電極とを備えることを特徴とする再生装置。
【請求項５】
請求項１乃至請求項４のいずれか１項に記載の再生装置において、
前記タッチ判別部は、前記操作円盤部がタッチされることにより前記操作円盤部の静電容量の放電カウントが予め定めた閾値Ａ以下になったときに操作円盤部５へのタッチがONとなったと判別し、前記操作円盤部の静電容量の放電カウントが前記閾値Ａ以下とならない場合でも、前記操作円盤部の静電容量の放電カウントが予め定めた時間Ｔ２以内に予め定めた変化値Ｈ２以上減少したときに前記操作円盤部へのタッチがONとなったと判別することを特徴とする再生装置。
【請求項６】
請求項５記載の再生装置において、
前記タッチ判別部は、直前にタッチONした判別が前記操作円盤部の静電容量の放電カウントが前記閾値Ａ以下になったことにより前記操作円盤部へのタッチがONとなったと判別した場合は、前記操作円盤部の静電容量の放電カウントが前記閾値Ａ＋予め定めた変化値Ｈ１以上増加したときに前記操作円盤部へのタッチがOFFとなったと判別し、前記操作円盤部の静電容量の放電カウントが前記閾値Ａ＋前記変化値Ｈ１以上とならない場合でも、前記操作円盤部の静電容量の放電カウントが予め定めた時間Ｔ３以内に予め定めた変化値Ｈ３以上増加したときに前記操作円盤部へのタッチがOFFとなったと判別することを特徴とする再生装置。
【請求項７】
請求項５記載の再生装置において、
前記タッチ判別部は、直前にタッチONした判別が前記操作円盤部の静電容量の放電カウントが前記時間Ｔ２以内に前記変化値Ｈ２以上減少したことにより前記操作円盤部へのタッチがONとなったと判別した場合は、前記操作円盤部の静電容量の放電カウントが算出した閾値Ｂ以上になったときに前記操作円盤部へのタッチがOFFとなったと判別し、前記操作円盤部の静電容量の放電カウントが前記閾値Ｂ以上にならない場合でも、前記操作円盤部の静電容量の放電カウントが時間Ｔ３以内に変化値Ｈ３以上増加したときに前記操作円盤部へのタッチがOFFとなったと判別することを特徴とする再生装置。
【発明の詳細な説明】
【技術分野】
【０００１】
本発明は、光ディスクから読み取ったオーディオデータを記憶部に記憶し、記憶部に記憶したオーディオデータの読み出し速度及び読み出し順序を指示する操作円盤部を備えた光ディスク再生装置に関する。
【背景技術】
【０００２】
ディスクジョッキー（Disc Jockey（以下、ＤＪという。））は、ダンスクラブ等において、アナログレコード又はコンパクトディスク（CD、Compact Disc）等の光ディスクに記録されたオーディオデータを再生している最中に、擦れ音のような効果音を発生させるスクラッチ再生と呼ばれる特殊再生を行うことがある。ＤＪは、アナログレコードプレーヤを用いてスクラッチ再生を行う場合、再生中のアナログレコードを素早く通常の回転方向である時計回り方向又はその反対方向である反時計回り方向に強制的に手動で回すことにより擦れ音を発生させる。また、このアナログレコードプレーヤによるスクラッチ再生と同様のスクラッチ再生を行うことが可能なＤＪ用の再生装置がある（例えば、特許文献１参照。）。
【０００３】
このＤＪ用の再生装置は、操作円盤部と記憶部（メモリ）を備え、ＣＤから再生したオーディオデータをメモリに記憶し、操作円盤部に指がタッチされたことを検出すると共に操作円盤部が時計回り方向又は反時計回り方向に回転することにより、メモリに記憶されたオーディオデータの読み出し速度と読み出し順序を制御し、アナログレコードによる擦れ音と同等の効果音を発生させる。このように、ＤＪは、ＣＤに記録されたオーディオデータをＤＪ用の再生装置により再生しているとき、操作円盤部を指でタッチしてアナログレコードと同じように回転操作して、アナログレコードと同様のスクラッチ再生を行うことができる。
【０００４】
このＤＪ用の再生装置は、操作円盤部に指がタッチされない場合、ＣＤに記録されたオーディオデータを標準速度で再生（以下、通常再生という。）する。操作円盤部に指がタッチされ回転操作された場合、ＣＤプレーヤは、操作円盤部の回転速度及び回転方向を検出し、検出した回転速度及び回転方向に応じて、ＣＤから再生しメモリに記憶したオーディオデータの読み出し速度及び読み出し順序を変えるスクラッチ再生を行う。
【先行技術文献】
【特許文献】
【０００５】
【特許文献１】特開平２００８−１３５１４７号公報
【発明の開示】
【発明が解決しようとする課題】
【０００６】
特許文献１に開示されている再生装置は、操作円盤部の下方の位置に操作円盤部から一定の距離だけ離間させたセンサパターンを有する基板を備え、指がタッチして操作円盤部が撓むことによってセンサパターンによる静電容量の変化の値を検出することによって操作円盤部に指がタッチしたか否かを検出している。
【０００７】
特許文献１に開示されているような操作円盤部から一定の距離だけ離間させたセンサパターンが静電容量を検出するためには、センサパターンが誤って静電容量を検出してしまうことを防止するために、操作円盤部とセンサパターンの距離を常に一定にしておく必要がある。このため、例えば、操作円盤部が経年劣化して変形したり、また、長期に亘って操作円盤部が押圧されて撓むことによって塑性変形してしまうと、操作円盤部とセンサパターンの距離を一定に保つことができないため、操作円盤部に指がタッチされたか否かを正確に検出することができなくなってしまう。
【０００８】
また、特許文献１に開示されているような操作円盤部から一定の距離だけ離間させたセンサパターンが静電容量を検出するためには、操作円盤部に指がタッチしたか否か検出するための前述したセンサパターンを有する基板等を操作円盤部とは別に備える必要があるため、再生装置のコストが増大してしまう。
【０００９】
センサパターンを有する基板等を操作円盤部と別に備えないようにする手段として、例えば、回転する操作円盤部に前述したようなセンサパターンを備え、このセンサパターンによって操作円盤部に指がタッチしたか否かを検出することが考えられる。しかしながら、例えば、特許文献１に開示されたセンサパターンを操作円盤部に備える構成とした場合、センサパターンが検出した静電容量を再生装置の筐体内部に備える検出部や制御部に出力するためには、少なくとも２系統以上の信号ラインが必要となる。このため、回転する操作円盤部に備えたセンサパターンが検出した静電容量を２系統以上の信号ラインで筐体内部の検出部や制御部に出力するためには、回転する操作円盤部と回転しない筐体とを２系統以上の信号ラインで接続するための新たな構成が必要となってしまい、操作円盤部に指がタッチしたか否か検出するための前述したセンサパターンを有する基板等を操作円盤部とは別に備える構成と同様に、再生装置のコストが増大してしまう。
【００１０】
本発明は、操作円盤部に指をタッチして回転操作することにより特殊再生を行うことができる再生装置において、操作円盤部に指がタッチされたか否かを正確に検出することができると共に、再生装置のコストを低減することができる再生装置を提供することを目的とする。
【課題を解決するための手段】
【００１１】
上記の課題を解決するために、本願の請求項１記載の発明は、光ディスクに記録されたオーディオデータを読み取る読取部と、前記読取部が読み取ったオーディオデータを記憶する記憶部と、前記記憶部に記憶されたオーディオデータの読み出し速度及び読み出し順序を指示する回転操作部とを備えた再生装置において、回転可能に軸支され静電容量を検出する電極シート部を備える操作円盤部と、前記操作円盤部に固定され前記電極シートと電気的に接続する回転軸と、前記回転軸を軸支すると共に前記回転軸と電気的に接続する軸受部と、前記回転軸及び前記軸受部を介して前記電極シート部が検出した前記操作円盤部の静電容量の容量値の変化に基づいて操作円盤部に指がタッチされたか否かを判別するタッチ判別部とを備え、前記電極シート部は、下面に導電性を有する細い電極パターンから成り前記電極シート部の中央を略中心としたそれぞれ直径が異なる同心円型を形成する複数の円型電極を備えることを特徴とする。
【００１２】
本願の請求項２記載の発明は、請求項１に記載の再生装置において、前記電極シート部の前記複数の円型電極は、内側から外側の円型電極になるのに伴って隣の円型電極までの幅が次第に小さくなるように形成され、また、それぞれの円型電極の太さが内側から外側の円型電極になるのに伴って次第に太くなるように形成されていることを特徴とする。
【００１３】
本願の請求項３記載の発明は、請求項１に記載の再生装置において、前記電極シート部は、前記複数の円型電極の太さがそれぞれ略同一であり、隣の前記円型電極までの幅がそれぞれ略同一であることを特徴とする。
【００１４】
本願の請求項４記載の発明は、請求項１乃至請求項３のいずれか１項に記載の再生装置において、前記電極シート部は、導電性を有する薄い円盤型を形成し電極シート部の略中央に配設され前記回転軸と電気的に接続する中央電極と、導電性を有する細い電極パターンから成り前記複数の円型電極及び前記中央電極を直線で電気的に接続する直線電極とを備えることを特徴とする。
【００１５】
本願の請求項５記載の発明は、請求項１乃至請求項４のいずれか１項に記載の再生装置において、前記タッチ判別部は、前記操作円盤部がタッチされることにより前記操作円盤部の静電容量の放電カウントが予め定めた閾値Ａ以下になったときに操作円盤部５へのタッチがONとなったと判別し、前記操作円盤部の静電容量の放電カウントが前記閾値Ａ以下とならない場合でも、前記操作円盤部の静電容量の放電カウントが予め定めた時間Ｔ２以内に予め定めた変化値Ｈ２以上減少したときに前記操作円盤部へのタッチがONとなったと判別することを特徴とする。
【００１６】
本願の請求項６記載の発明は、請求項５記載の再生装置において、前記タッチ判別部は、直前にタッチONした判別が前記操作円盤部の静電容量の放電カウントが前記閾値Ａ以下になったことにより前記操作円盤部へのタッチがONとなったと判別した場合は、前記操作円盤部の静電容量の放電カウントが前記閾値Ａ＋予め定めた変化値Ｈ１以上増加したときに前記操作円盤部へのタッチがOFFとなったと判別し、前記操作円盤部の静電容量の放電カウントが前記閾値Ａ＋前記変化値Ｈ１以上とならない場合でも、前記操作円盤部の静電容量の放電カウントが予め定めた時間Ｔ３以内に予め定めた変化値Ｈ３以上増加したときに前記操作円盤部へのタッチがOFFとなったと判別することを特徴とする。
【００１７】
本願の請求項７記載の発明は、請求項５記載の再生装置において、前記タッチ判別部は、直前にタッチONした判別が前記操作円盤部の静電容量の放電カウントが前記時間Ｔ２以内に前記変化値Ｈ２以上減少したことにより前記操作円盤部へのタッチがONとなったと判別した場合は、前記操作円盤部の静電容量の放電カウントが算出した閾値Ｂ以上になったときに前記操作円盤部へのタッチがOFFとなったと判別し、前記操作円盤部の静電容量の放電カウントが前記閾値Ｂ以上にならない場合でも、前記操作円盤部の静電容量の放電カウントが時間Ｔ３以内に変化値Ｈ３以上増加したときに前記操作円盤部へのタッチがOFFとなったと判別することを特徴とする。
【発明の効果】
【００１８】
本発明によれば、操作円盤部に指をタッチして回転操作することにより特殊再生を行うことができる再生装置において、操作円盤部に指がタッチされたか否かを正確に検出することができると共に、再生装置のコストを低減することができる再生装置を提供することができる。
【図面の簡単な説明】
【００１９】
【図１】本発明の一実施例である再生装置の構成を示すブロック図。
【図２】本実施例の再生装置１の回転操作部５０を示す断面図。
【図３】本実施例の操作円盤部５の電極シート部１５を示す下面図。
【図４】本実施例の操作円盤部５へのタッチがOFFの状態から操作円盤部５への押圧がONされ、その後、再び操作円盤部５へのタッチがOFFされるまので過程を示す図。
【図５】本実施例の操作円盤部５へのタッチがOFFの状態から操作円盤部５への押圧がONされ、その後、再び操作円盤部５へのタッチがOFFされるまので過程を示す図。
【図６】本実施例の操作円盤部５へのタッチがOFFの状態から操作円盤部５への押圧がONされ、その後、再び操作円盤部５へのタッチがOFFされるまので過程を示す図。
【図７】本実施例の操作円盤部５へのタッチがONされたかOFFされたかをタッチ判別部３１が判別する動作を示すフローチャート図。
【図８】本実施例の操作円盤部５へのタッチがONされたかOFFされたかをタッチ判別部３１が判別する動作を示すフローチャート図。
【図９】本実施例の操作円盤部５へのタッチがONされたかOFFされたかをタッチ判別部３１が判別する動作を示すフローチャート図。
【図１０】本実施例の電極シート部において、図３に示した電極シート部１５の電極部１５０の他の例を示した下面図。
【発明を実施するための最良の形態】
【００２０】
以下、本発明の実施の形態を図面に基づいて説明する。
図１は、本発明の一実施例である再生装置の構成を示すブロック図である。
【００２１】
再生装置１は、再生部２０、信号処理部２１、メモリ制御部２２、ＲＡＭ（Random Access Memory）２３、ＤＡＣ（Digital to Analog Converter）２４、出力端子２５、制御部２６、記憶部２７、操作部３０及び表示部４０を備える。
【００２２】
制御部２６は、以下で説明する再生装置１の動作を統括的に制御する。再生部２０は、可搬型又は外部の記録媒体に記録された圧縮された及び／又は非圧縮のデジタルオーディオデータを再生する。記録媒体としては、ＣＤ（Compact Disc）、ＤＶＤ（Digital Versatile Disc）、外部接続可能な外部メモリ等が挙げられる。再生部２０は、記録媒体にトラック単位で記録された圧縮デジタルオーディオデータを再生し、所定フォーマットに変換して出力する。
【００２３】
再生部２０が再生したデジタルオーディオデータは、信号処理部２１に入力される。信号処理部２１は、デジタルオーディオデータの復調、同期信号の抜き出し等の処理を行い、デジタルオーディオデータをメモリ制御部２２に出力する。
【００２４】
メモリ制御部２２は、入力されたデジタルオーディオデータをＲＡＭ２３に書き込むよう制御する。ＲＡＭ２３は、入力されたデジタルオーディオデータを記憶する。また、メモリ制御部２２は、ＲＡＭ２３が記憶したデジタルオーディオデータをＲＡＭ２３から読出すよう制御する。
【００２５】
ＲＡＭ２３から読み出されたデータはＤＡＣ２４に出力される。ＤＡＣ２４は、デジタルオーディオデータをアナログオーディオ信号に変換する。ＤＡＣ２４により変換されたアナログオーディオ信号は、出力端子２５から出力される。デジタル入力可能な機器に出力する場合には、ＤＡＣ２４を設けず、所定のデジタルフォーマットで出力するようにしてもよい。
【００２６】
表示部４０は、液晶表示装置等から構成され、現在再生しているトラックの再生時間、トラックナンバー等を表示する。
【００２７】
操作部３０は、タッチ判別部３１、回転操作部５０、図示しない再生開始ボタン、再生停止ボタン、イジェクトボタン等を備える。再生開始ボタン及び再生停止ボタンは、押圧されることによって再生制御に関する指示を受け付ける。回転操作部５０は、後述する操作円盤部からスクラッチ再生等の指示を受け付ける。タッチ判別部３１は、後述する電極シート部１５が検出した操作円盤部５の静電容量に基づいて操作円盤部５に指がタッチされたか否かを判別する。
【００２８】
図２は、本実施例の再生装置１の回転操作部５０を示す断面図である。
回転操作部５０は、筐体２、回転軸３、軸受部４、操作円盤部５、スケール部６及び光センサ部７を備える。
【００２９】
筐体２は、上下に貫通する孔２０１を備え、この孔２０１に回転軸３が挿入されている。回転軸３は、鋼鉄部材等の導電性を有する部材から形成される。軸受部４は、筐体２に固定され、回転軸３の下方部分を軸支する。また、軸受部４は、鋼鉄部材等の導電性を有する部材から形成され、後述する電極シート部１５が検出した操作円盤部５の静電容量を軸受部４を介して入力し、入力した静電容量信号を図１に示すタッチ判別部３１に出力する。回転軸３は、軸受部４が下方部分を軸支していることにより、下方に抜け落ちないようになっている。
【００３０】
操作円盤部５は、薄い円盤型を形成し、上面に凹部５０２を備え、中央に孔５０１を備える。操作円盤部５は、比誘電率の高いアクリル部材、ボリカ部材等から成り、薄い円盤型を形成する電極シート部１５を備える。電極シート部１５は、凹部５０２の内径より僅かに小さい直径から成り、凹部５０２の底面に載置される。操作円盤部５は、孔５０１に回転軸３が挿入された状態で回転軸３に固定されている。回転軸３は、上方の先端部分が凹部５０２の底面から僅かに上方に突出する位置に配設される。
【００３１】
スケール部６は、円盤型を形成し、中央に孔６０１を備える。スケール部６は、操作円盤部５の下方に配設され、孔６０１に回転軸３が挿入された状態で回転軸３に固定されている。
【００３２】
操作円盤部５は、軸受部４に軸支された回転軸３を中心軸として自在に回転する。スケール部６は、操作円盤部５と同様に孔６０１が回転軸３に挿入され固定されていることから、操作円盤部５が回転操作されると、スケール部６も操作円盤部５と同じ回転速度及び同じ回転方向で回転する。
【００３３】
スケール部６には、外周部にスリット部６０２が設けられている。スリット部６０２は、例えば、長方形状の開口部又はカーボンが含まれた印刷塗料による印刷によって形成されている。
【００３４】
光センサ部７は、操作円盤部５と共に回転するスケール部６の回転速度及び回転方向を検出するために、２つの光センサ（図示しない）を備え、スリット部６０２を検出できる位置に配設された状態で筐体２に固定されている。光センサ部７は、スリット部６０２を検出すると、２つの光センサから位相が異なる（例えば、９０°の位相差）パルス信号ａ及びパルス信号ｂを発生して制御部２６に出力する。
【００３５】
制御部２６は、入力されるパルス信号ａとパルス信号ｂの位相差に基づいて操作円盤部５の回転方向を判別する。例えば、パルス信号ａ及びパルス信号ｂの位相差が９０°である場合、操作円盤部５が時計回り方向に回転しているとき、パルス信号ａは、パルス信号ｂに対して、＋９０°の位相差となる。また、操作円盤部５が反時計回り方向に回転しているとき、パルス信号ａは、パルス信号ｂに対して、−９０°の位相差となる。また、制御部２６は、一定時間に入力されたパルス信号ａ又はパルス信号ｂのどちらか一方のパルス信号のパルス数から操作円盤部５の回転速度を判別する。
【００３６】
図３は、本実施例の操作円盤部５の電極シート部１５を示す下面図である。
図３に示すように、電極シート部１５は、下面部分に導電部材から成る電極部１５０を備える。
【００３７】
電極部１５０は、第１の円型電極１５０１、第２の円型電極１５０２、第３の円型電極１５０３、第４の円型電極１５０４、第５の円型電極１５０５、第６の円型電極１５０６、中央電極１５０７及び直線電極１５０８を備える。
【００３８】
第１の円型電極１５０１〜第６の円型電極１５０６は、導電性を有する細い電極パターンから成り、電極シート部１５の中央を略中心としたそれぞれ直径が異なる同心円型を形成する。中央電極１５０７は、導電性を有する薄い円盤型を形成し、電極シート部１５の略中央に配設される。直線電極１５０８は、導電性を有する細い電極パターンから成り、第１の円型電極１５０１〜第６の円型電極１５０６及び中央電極１５０７を直線で電気的に接続する。
【００３９】
図３に示すように、第１の円型電極１５０１〜第６の円型電極１５０６は、内側から外側の円型電極になるのに伴って隣の円型電極までの幅が次第に小さくなるように形成され、また、それぞれの円型電極の太さも内側から外側の円型電極になるのに伴って次第に太くなるように形成されている。
【００４０】
本実施例においては、第１の円型電極１５０１〜第６の円型電極１５０６の内で１番外形の大きい円を形成する第６の円型電極１５０６の直径Ａを約１５０ｍｍとし、第１の円型電極１５０１から第２の円型電極１５０２までの幅Ｂ及び第２の円型電極１５０２から第３の円型電極１５０３までの幅Ｃをそれぞれ約８．２ｍｍとし、第３の円型電極１５０３から第４の円型電極１５０４までの幅Ｄを約６．８ｍｍとし、第４の円型電極１５０４から第５の円型電極１５０５までの幅Ｅを約５．４ｍｍとし、第５の円型電極１５０５から第６の円型電極１５０６までの幅Ｆを約４．０ｍｍとする。
【００４１】
また、本実施例においては、第１の円型電極１５０１の太さを約０．８ｍｍとし、第２の円型電極１５０２の太さを約０．９ｍｍとし、第３の円型電極１５０３の太さを約１．０ｍｍとし、第４の円型電極１５０４の太さを約１．１ｍｍとし、第５の円型電極１５０５の太さを約１．２ｍｍとし、第６の円型電極１５０６の太さを約１．３ｍｍとする。
【００４２】
中央電極１５０７は、電極シート部１５が操作円盤部５の凹部５０２に載置された状態の場合、回転軸３の上方の先端部分が凹部５０２の底面から僅かに突出する位置に配設されていることにより、回転軸３と当接し、このことにより回転軸３と電気的に接続される。
【００４３】
また、軸受部４は、前述したように、導電性を有する部材から形成されていることから、軸支した回転軸３と電気的に接続される。
【００４４】
図３に示すように、電極シート部１５が凹部５０２に載置されている状態の場合、第１の円型電極１５０１〜第６の円型電極１５０６によって電極シート部１５の静電容量が検出される。直線電極１５０８は、第１の円型電極１５０１〜第６の円型電極１５０６が検出した静電容量を中央電極１５０７に出力する。中央電極１５０７は、直線電極１５０８を介して第１の円型電極１５０１〜第６の円型電極１５０６が検出した操作円盤部５の静電容量を回転軸３を介して軸受部４に出力する。軸受部４は、入力した静電容量を図１に示すタッチ判別部３１に出力する。
【００４５】
タッチ判別部３１は、静電容量方式のタッチセンサーＩＣを備え、軸受部４から入力した操作円盤部５の静電容量の容量値の変化に基づいて、操作円盤部５に指がタッチされたか否かを判別する。
【００４６】
制御部２６は、操作円盤部５に指がタッチされていないとタッチ判別部３１が判別すると共に光センサ部７からのパルス信号によって操作円盤部５が回転していない状態だと判別した場合、操作部３０の再生開始ボタンが押圧され操作部３０から再生開始の指示を受けると、ＲＡＭ２３から通常の再生速度でデジタルオーディオデータを読み出すようメモリ制御部２２を制御する。
【００４７】
制御部２６は、操作円盤部５に指がタッチされたとタッチ判別部３１が判別すると共に光センサ部７からパルス信号ａ又はパルス信号ｂが入力されたとき、判別した操作円盤部５の回転速度及び回転方向に対応した読み出し速度及び読み出し順序でＲＡＭ２３からデジタルオーディオデータを読み出すようにメモリ制御部２２を制御する。メモリ制御部２２は、ＲＡＭ２３に記憶されたデジタルオーディオデータの読み出し速度及び読み出し順序（オーディオデータを昇順アドレスで読み出す又は降順で読み出す）を制御する。例えば、制御部２６は、操作円盤部５に指がタッチされ、操作円盤部５が時計回り方向に回転操作されると、その回転速度に応じた読み出し速度でＲＡＭ２３に記憶されたデジタルオーディオデータを昇順アドレスで読み出すようにメモリ制御部２２を制御する。また、制御部２６は、操作円盤部５に指がタッチされ、操作円盤部５が反時計回り方向に回転操作されると、その回転速度に応じた読み出し速度でＲＡＭ２３に記憶されたデジタルオーディオデータを降順アドレスで読み出すようにメモリ制御部２２を制御する（スクラッチ機能）。
【００４８】
次に、本実施例の再生装置１におけるタッチ判別部３１が操作円盤部５に指がタッチされたか否かを判別する構成について説明する。
【００４９】
図４〜図６は、本実施例の操作円盤部５へのタッチがOFFの状態から操作円盤部５への押圧がONされ、その後、再び操作円盤部５への押圧がOFFされるまので過程を示す図である。
図４〜図６においては、操作円盤部５に指をタッチする場合において、指の先端部分のみでタッチした場合、指のひらでタッチした場合など、それぞれ異なった手段で操作円盤部５をタッチした状態を示している。
【００５０】
図７〜図９は、本実施例の操作円盤部５へのタッチがONされたかOFFされたかをタッチ判別部３１が判別する動作を示すフローチャート図である。
【００５１】
先ず、操作円盤部５へのタッチがONされたことをタッチ判別部３１が判別する動作を図７に示すフローチャート図に沿って説明する。
【００５２】
タッチ判別部３１は、操作円盤部５の静電容量の容量値の変化に基づいて操作円盤部５に指がタッチされたか否かを判別するために、操作円盤部５の静電容量の放電カウントを検出する。この静電容量の放電カウントとは、操作円盤部５への指のタッチのON又はOFFによって操作円盤部５の静電容量が充電と放電を繰り返す場合において、操作円盤部５の静電容量が放電状態のときの放電値を予め定めたカウントとして検出したものである。
【００５３】
タッチ判別部３１は、図示しないメモリを備え、当該メモリに予め定めた静電容量の放電カウントの閾値Ａ、予め定めた時間Ｔ２及びＴ３並びに予め定めた静電容量の放電カウントの変化値Ｈ１、Ｈ２、Ｈ３及びＨ４を記憶している。また、タッチ判別部３１は、操作円盤部５の静電容量の放電カウントが一番高くなった状態でのピーク値をメモリに記憶する。
【００５４】
図７に示すように、タッチ判別部３１は、電極シート部１５の第１の円型電極１５０１〜第６の円型電極１５０６によって検出された操作円盤部５の静電容量の放電カウントを検出する（ステップＳ１）。タッチ判別部３１は、検出した操作円盤部５の静電容量の放電カウントがメモリに記憶した閾値Ａ以下になったか否かを判別する（ステップＳ２）。ステップＳ２において、図４（ａ）に示す位置Ａのように、検出した操作円盤部５の静電容量の放電カウントが閾値Ａ以下になったとき、タッチ判別部３１は、操作円盤部５へのタッチがONとなったと判別する（ステップＳ３）。
【００５５】
ステップＳ２において、検出した操作円盤部５の静電容量の放電カウントが閾値Ａ以下とならない場合、検出した操作円盤部５の静電容量の放電カウントがメモリに記憶した時間Ｔ２以内にメモリに記憶した変化値Ｈ２以上減少したか否かを判別する（ステップＳ４）。ステップＳ４において、検出した操作円盤部５の静電容量の放電カウントがメモリに記憶した時間Ｔ２以内にメモリに記憶した変化値Ｈ２以上減少しない場合は、ステップＳ１に戻る。ステップＳ４において、図５（ａ）に示す位置Ｃのように、検出した操作円盤部５の静電容量の放電カウントがメモリに記憶した時間Ｔ２以内にメモリに記憶した変化値Ｈ２以上減少した場合、タッチ判別部３１は、操作円盤部５へのタッチがONとなったと判別する（ステップＳ５）。
【００５６】
ステップＳ５において、操作円盤部５へのタッチがONとなったとタッチ判別部３１が判別した場合、タッチ判別部３１は、操作円盤部５へのタッチがONと判別したときに検出した操作円盤部５の静電容量の放電カウントをメモリに記憶する（ステップＳ６）。
【００５７】
以上のように、本実施例において操作円盤部５へのタッチがONされたことをタッチ判別部３１が判別する場合、タッチ判別部３１は、操作円盤部５の静電容量の放電カウントが予め定めた閾値Ａ以下になったときに操作円盤部５へのタッチがONとなったと判別し、一方、操作円盤部５の静電容量の放電カウントが予め定めた閾値Ａ以下にならない場合でも、操作円盤部５の静電容量の放電カウントが時間Ｔ２以内に変化値Ｈ２以上減少したときに操作円盤部５へのタッチがONとなったと判別する。
【００５８】
このことにより、操作円盤部５がタッチされることにより操作円盤部５の静電容量の放電カウントが減少し、操作円盤部５の静電容量の放電カウントが予め定めた閾値Ａ以下になったときに操作円盤部５へのタッチがONとなったと判別することができ、一方、例えば、指の先端部分によって操作円盤部５がタッチされることにより、操作円盤部５の静電容量の放電カウントが減少しても操作円盤部５の静電容量の放電カウントが予め定めた閾値Ａ以下とならない場合でも、操作円盤部５が素早くタッチされて操作円盤部５の静電容量の放電カウントが時間Ｔ２以内に変化値Ｈ２以上減少したときに操作円盤部５へのタッチがONとなったと判別することができる。
【００５９】
次に、操作円盤部５へのタッチがONの状態から操作円盤部５へのタッチがOFFされたことをタッチ判別部３１が判別する動作を図８及び図９に示すフローチャート図に沿って説明する。
【００６０】
図４（ａ）の位置Ａ及び図７のステップＳ３に示すように、検出した操作円盤部５の静電容量の放電カウントが閾値Ａ以下になったことにより操作円盤部５へのタッチがONとなったとタッチ判別部３１が判別した場合は、図８に示すステップＡに移行する。また、図５（ａ）の位置Ｃ及び図７のステップＳ５に示すように、検出した操作円盤部５の静電容量の放電カウントが時間Ｔ２以内に変化値Ｈ２以上減少したことにより操作円盤部５へのタッチがONとなったとタッチ判別部３１が判別した場合は、図９に示すステップＢに移行する。
【００６１】
図８のステップＡに示すように、検出した操作円盤部５の静電容量の放電カウントが図４（ａ）に示す位置Ａのように閾値Ａ以下になったことにより操作円盤部５へのタッチがONとなったとタッチ判別部３１が判別した後、タッチ判別部３１は、電極シート部１５の第１の円型電極１５０１〜第６の円型電極１５０６によって検出された操作円盤部５の静電容量の放電カウントを検出する（ステップＳ７）。タッチ判別部３１は、検出した操作円盤部５の静電容量の放電カウントがメモリに記憶した閾値Ａ＋変化値Ｈ１以上になったか否かを判別する（ステップＳ８）。ステップＳ８において、図４（ｂ）に示す位置Ｂのように、検出した操作円盤部５の静電容量の放電カウントが閾値Ａ＋Ｈ１以上になったとき、タッチ判別部３１は、操作円盤部５へのタッチがOFFとなったと判別する（ステップＳ９）。
【００６２】
ステップＳ８において、検出した操作円盤部５の静電容量の放電カウントが閾値Ａ＋変化値Ｈ１以上とならない場合、検出した操作円盤部５の静電容量の放電カウントがメモリに記憶した時間Ｔ３以内にメモリに記憶した変化値Ｈ３以上増加したか否かを判別する（ステップＳ１０）。ステップＳ１０において、検出した操作円盤部５の静電容量の放電カウントがメモリに記憶した時間Ｔ３以内にメモリに記憶した変化値Ｈ３以上増加しない場合は、ステップＳ７に戻る。ステップＳ１０において、図５（ｂ）に示す位置Ｄのように、検出した操作円盤部５の静電容量の放電カウントがメモリに記憶した時間Ｔ３以内にメモリに記憶した変化値Ｈ３以上増加した場合、タッチ判別部３１は、操作円盤部５へのタッチがOFFとなったと判別する（ステップＳ９）。
【００６３】
図９のステップＢに示すように、検出した操作円盤部５の静電容量の放電カウントが図５（ａ）に示す位置Ｃのように時間Ｔ２以内に変化値Ｈ２以上減少したことにより操作円盤部５へのタッチがONとなったとタッチ判別部３１が判別した後、タッチ判別部３１は、図７のステップＳ６において、メモリに記憶した操作円盤部５へのタッチがONと判別したときに検出した操作円盤部５の静電容量の放電カウント（タッチON判別時の放電カウント）及びメモリに記憶した操作円盤部５の静電容量の放電カウントのピークの値（ピーク値）に基づいて、閾値Ｂ＝（タッチON判別時の放電カウント）＋｛（ピーク値）−（タッチON判別時の放電カウント）×０．３｝を算出する（ステップＳ１１）。
【００６４】
次に、タッチ判別部３１は、電極シート部１５の第１の円型電極１５０１〜第６の円型電極１５０６によって検出された操作円盤部５の静電容量の放電カウントを検出する（ステップＳ１２）。タッチ判別部３１は、検出した操作円盤部５の静電容量の放電カウントが算出した閾値Ｂ以上になったか否かを判別する（ステップＳ１３）。ステップＳ１３において、図６に示す位置Ｅのように、検出した操作円盤部５の静電容量の放電カウントが閾値Ｂ以上になったとき、タッチ判別部３１は、操作円盤部５へのタッチがOFFとなったと判別する（ステップＳ１４）。
【００６５】
ステップＳ１３において、検出した操作円盤部５の静電容量の放電カウントが閾値Ｂ以上とならない場合、検出した操作円盤部５の静電容量の放電カウントがメモリに記憶した時間Ｔ３以内にメモリに記憶した変化値Ｈ３以上増加したか否かを判別する（ステップＳ１５）。ステップＳ１５において、検出した操作円盤部５の静電容量の放電カウントがメモリに記憶した時間Ｔ３以内にメモリに記憶した変化値Ｈ３以上増加しない場合は、ステップＳ１２に戻る。ステップＳ１５において、図５（ｂ）に示す位置Ｄのように、検出した操作円盤部５の静電容量の放電カウントがメモリに記憶した時間Ｔ３以内にメモリに記憶した変化値Ｈ３以上増加した場合、タッチ判別部３１は、操作円盤部５へのタッチがOFFとなったと判別する（ステップＳ１４）。
【００６６】
以上のように、本実施例において、検出した操作円盤部５の静電容量の放電カウントが閾値Ａ以下になったことにより操作円盤部５へのタッチがONとなったとタッチ判別部３１が判別した後に、操作円盤部５へのタッチがOFFされたことをタッチ判別部３１が判別する場合は、図８に示すように、操作円盤部５の静電容量の放電カウントが予め定めた閾値Ａ+変化値Ｈ１以上になったときに操作円盤部５へのタッチがOFFとなったと判別し、一方、操作円盤部５の静電容量の放電カウントが予め定めた閾値Ａ＋変化値Ｈ１以上にならない場合でも、操作円盤部５の静電容量の放電カウントが時間Ｔ３以内に変化値Ｈ３以上増加したときに操作円盤部５へのタッチがOFFとなったと判別する。
【００６７】
また、本実施例において、検出した操作円盤部５の静電容量の放電カウントが時間Ｔ２以内に変化値Ｈ２以上減少したことにより操作円盤部５へのタッチがONとなったとタッチ判別部３１が判別した後に、操作円盤部５へのタッチがOFFされたことをタッチ判別部３１が判別する場合は、図９に示すように、操作円盤部５の静電容量の放電カウントが算出した閾値Ｂ以上になったときに操作円盤部５へのタッチがOFFとなったと判別し、一方、操作円盤部５の静電容量の放電カウントが算出した閾値Ｂ以上にならない場合でも、操作円盤部５の静電容量の放電カウントが時間Ｔ３以内に変化値Ｈ３以上増加したときに操作円盤部５へのタッチがOFFとなったと判別する。
【００６８】
このことにより、検出した操作円盤部５の静電容量の放電カウントが閾値Ａ以下になったことにより操作円盤部５へのタッチがONとなったとタッチ判別部３１が判別した後に、操作円盤部５へのタッチがOFFされたことをタッチ判別部３１が判別する場合は、操作円盤部５のタッチが解除されることにより操作円盤部５の静電容量の放電カウントが増加し、操作円盤部５の静電容量の放電カウントが予め定めた閾値Ａ＋変化値Ｈ１以上増加したときに操作円盤部５へのタッチがOFFとなったと判別することができ、一方、操作円盤部５のタッチが解除されることにより操作円盤部５の静電容量の放電カウントが増加しても操作円盤部５の静電容量の放電カウントが予め定めた閾値Ａ＋変化値Ｈ１以上とならない場合でも、操作円盤部５のタッチが素早く解除されて操作円盤部５の静電容量の放電カウントが時間Ｔ３以内に変化値Ｈ３以上増加したときに操作円盤部５へのタッチがOFFとなったと判別することができる。また、検出した操作円盤部５の静電容量の放電カウントが時間Ｔ２以内に変化値Ｈ２以上減少したことにより操作円盤部５へのタッチがONとなったとタッチ判別部３１が判別した後に、操作円盤部５へのタッチがOFFされたことをタッチ判別部３１が判別する場合は、操作円盤部５の静電容量の放電カウントが算出した閾値Ｂ以上になったときに操作円盤部５へのタッチがOFFとなったと判別し、一方、操作円盤部５の静電容量の放電カウントが算出した閾値Ｂ以上にならない場合でも、操作円盤部５の静電容量の放電カウントが時間Ｔ３以内に変化値Ｈ３以上増加したときに操作円盤部５へのタッチがOFFとなったと判別することができる。
【００６９】
以上のように、本実施例の再生装置１は、電極シート部１５に備えた第１の円型電極１５０１〜第６の円型電極１５０６によって操作円盤部５の静電容量の放電カウントを検出し、検出した静電容量の放電カウントの変化に基づいて、タッチ判別部３１が操作円盤部５に指がタッチされたか否かを判別することができる。
【００７０】
本実施例の再生装置１は、電極シート部１５に備えた第１の円型電極１５０１〜第６の円型電極１５０６によって操作円盤部５の静電容量を検出し、この検出した静電容量を回転軸３、軸受部４を介してタッチ判別部３１に入力することができるので、従来の指のタッチを判別する場合の構成のように、センサパターンを有する基板等を操作円盤部とは別に備える必要がないことから、再生装置１の製造コストを低減させることができる。
【００７１】
静電容量方式のタッチセンサーによって指のタッチがされたか否かを判別する場合、従来は、タッチ面の領域全体に薄い板状の導電パターンを配設し、上方から指がタッチされることで導電パターンがタッチ面の静電容量の変化を検出し、この導電パターンが検出した静電容量の変化に基づいてタッチセンサーＩＣがタッチされたか否かを判別する構成となっている。このような従来の構成によりタッチの有無を判別する場合、タッチ面が大きくなるのに伴って導電パターンが検出する静電容量の変化が大きくなるため、比較的安価なタッチセンサーＩＣでは判別可能な静電容量の許容範囲が限られていることから、タッチ面の面積を大きくすることが困難であった。
【００７２】
一方、本実施例の再生装置１は、タッチ面の領域全体に薄い板状の導電パターンを配設するのではなく、図３に示すように、導電性を有する細い電極パターンから成り、電極シート部１５の略中央を中心としたそれぞれ直径が異なる同心円型を形成した第１の円型電極１５０１〜第６の円型電極１５０６によって操作円盤部５の静電容量の変化を検出する構成としているため、タッチ面を大きくしても、従来のタッチ面の領域全体に薄い板状の導電パターンを配設した場合より静電容量の変化を低く抑えることができる。このため、本実施例の再生装置１は、操作円盤部に指をタッチさせると共に操作円盤部を回転させることによってスクラッチ再生等の特殊再生を行うＤＪ用の再生装置のように、広い面積の操作円盤部が必要な場合でも、操作円盤部に指がタッチされたか否かの判別を比較的安価なタッチセンサーＩＣで判別することができるので、再生装置１の製造コストを低減することができる。
【００７３】
ＤＪが操作円盤部に指をタッチさせると共に操作円盤部を回転させることによってスクラッチ再生等の特殊再生を行う場合、多くのＤＪは２本の指先を揃えて操作円盤部の上面に当接させて操作円盤部を回転させる。このため、ＤＪが操作円盤部にタッチする２本の指のひらの面積は、おおむね２本の指のそれぞれの縦方向の長さが８ｍｍであり、また、２本の指の合計の幅が１２ｍｍであるとすると、８ｍｍ×１２ｍｍ＝約１００ｍｍ2となる。また、ＤＪが操作円盤部の前に配置して指をタッチさせようとする場合、ＤＪの位置から近い操作円盤部５の外周部分までの位置は操作円盤部５の内周部分までの位置より近くなるため、ＤＪが操作円盤部５の外周部分をタッチする場合は指の先端でタッチすることが多く、また、ＤＪが操作円盤部５の内周部分をタッチする場合は指のひらでタッチすることが多くなる。
【００７４】
本実施例の電極シート部１５は、ＤＪの指のひらが約１００ｍｍ2の面積であって、また、
ＤＪが操作円盤部５の外周部分をタッチする場合、操作円盤部５の外周部分が指の先端でタッチされ、操作円盤部５の内周部分が指のひらでタッチされた場合に操作円盤部５に指がタッチされたか否かを判別するには、図３に示すように、第１の円型電極１５０１〜第６の円型電極１５０６は、内側から外側の電極になるのに伴って隣の電極までの幅が次第に小さくなるように形成され、また、それぞれの電極の太さも内側から外側の電極になるのに伴って次第に太くなるように形成され、第１の円型電極１５０１〜第６の円型電極１５０６の内で１番外形の大きい円を形成する第６の円型電極１５０６の直径、第１の円型電極１５０１〜第６の円型電極１５０６のそれぞれの電極における隣の電極までの幅、及び第１の円型電極１５０１〜第６の円型電極１５０６のそれぞれの電極の太さを前述した値とすることによって最適なタッチ判別をすることができることが、多くの検証及び実験によって分かっている。このため、本実施例の再生装置１は、スクラッチ再生等の特殊再生を行うためにＤＪが操作円盤部に指をタッチさせたか否かを正確に判別することができる。
【００７５】
ＤＪが操作円盤部５をタッチする場合は、指の先端のみで操作円盤部５をタッチする場合、手のひら全体で操作円盤部５をタッチする場合、右手と左手で同時にタッチする場合など様々な押圧手段が想定される。このように様々な手段によって操作円盤部５がタッチされることにより、操作円盤部５の静電容量の放電カウントは様々に変化する。例えば、指の先端のみで操作円盤部５をタッチしたときの静電容量の放電カウントは、手のひら全体で操作円盤部５をタッチしたときの静電容量の放電カウントより大きくなる。また、右手と左手で同時に操作円盤部５をタッチしたときの静電容量の放電カウントは、片手のみで操作円盤部５をタッチしたときの静電容量の放電カウントより小さくなる。
【００７６】
本実施例の再生装置１は、操作円盤部５へのタッチがONされたことをタッチ判別部３１が判別する場合、操作円盤部５がタッチされることにより操作円盤部５の静電容量の放電カウントが減少し、操作円盤部５の静電容量の放電カウントが予め定めた閾値Ａ以下になったときに操作円盤部５へのタッチがONとなったと判別し、一方、操作円盤部５がタッチされることにより操作円盤部５の静電容量の放電カウントが減少しても操作円盤部５の静電容量の放電カウントが予め定めた閾値Ａ以下とならない場合でも、操作円盤部５が素早くタッチされて操作円盤部５の静電容量の放電カウントが時間Ｔ２以内に変化値Ｈ２以上減少したときに操作円盤部５へのタッチがONとなったと判別する構成とすることにより、ＤＪ用の再生装置において最適な操作円盤部５のタッチON判別をすることができることが、多くの検証及び実験によって分かっている。
【００７７】
また、本実施例の再生装置１は、操作円盤部５へのタッチがOFFされたことをタッチ判別部３１が判別する場合、直前にタッチONした判別が検出した操作円盤部５の静電容量の放電カウントが閾値Ａ以下になったことにより操作円盤部５へのタッチがONとなったと判別した場合は、操作円盤部５のタッチが解除されることにより操作円盤部５の静電容量の放電カウントが増加し、操作円盤部５の静電容量の放電カウントが予め定めた閾値Ａ＋変化値Ｈ１以上増加したときに操作円盤部５へのタッチがOFFとなったと判別し、一方、操作円盤部５のタッチが解除されることにより操作円盤部５の静電容量の放電カウントが増加しても操作円盤部５の静電容量の放電カウントが予め定めた閾値Ａ＋変化値Ｈ１以上とならない場合でも、操作円盤部５のタッチが素早く解除されて操作円盤部５の静電容量の放電カウントが時間Ｔ３以内に変化値Ｈ３以上増加したときに操作円盤部５へのタッチがOFFとなったと判別する構成とすることにより、ＤＪ用の再生装置において最適な操作円盤部５のタッチOFF判別をすることができることが、多くの検証及び実験によって分かっている。
【００７８】
また、本実施例の再生装置１は、操作円盤部５へのタッチがOFFされたことをタッチ判別部３１が判別する場合、直前にタッチONした判別が検出した操作円盤部５の静電容量の放電カウントが時間Ｔ２以内に変化値Ｈ２以上減少したことにより操作円盤部５へのタッチがONとなったと判別した場合は、操作円盤部５の静電容量の放電カウントが算出した閾値Ｂ以上になったときに操作円盤部５へのタッチがOFFとなったと判別し、一方、操作円盤部５の静電容量の放電カウントが算出した閾値Ｂ以上にならない場合でも、操作円盤部５の静電容量の放電カウントが時間Ｔ３以内に変化値Ｈ３以上増加したときに操作円盤部５へのタッチがOFFとなったと判別する構成とすることにより、ＤＪ用の再生装置において最適な操作円盤部５のタッチOFF判別をすることができることが、多くの検証及び実験によって分かっている。
【００７９】
このことにより、本実施例の再生装置１は、スクラッチ再生等の特殊再生を行うためにＤＪが操作円盤部に指をタッチさせたか否かを一層正確に判別することができる。
【００８０】
本実施例の再生装置１は、電極シート部１５に第１の円型電極１５０１〜第６の円型電極１５０６の６つの円型電極を備える構成としたが、５つ以下の円型電極を備える構成としても良いし、７つ以上の円型電極を備える構成としても良い。
【００８１】
本実施例の再生装置１は、図３に示すように、第１の円型電極１５０１〜第６の円型電極１５０６の内で１番大きい円を形成する第６の円型電極１５０６の直径Ａを約１５０ｍｍとし、また、第１の円型電極１５０１〜第６の円型電極１５０６を内側から外側の円型電極になるのに伴って隣の円型電極までの幅が次第に小さくなるように形成し、また、それぞれの円型電極の太さも内側から外側の円型電極になるのに伴って次第に太くなるように形成し、第１の円型電極１５０１〜第６の円型電極１５０６の内で１番外形の大きい円を形成する第６の円型電極１５０６の直径、第１の円型電極１５０１〜第６の円型電極１５０６のそれぞれの円型電極における隣の円型電極までの幅、及び第１の円型電極１５０１〜第６の円型電極１５０６のそれぞれの円型電極の太さを前述した値とする構成としたが、基本的に同心円状を有しそれぞれ直径が異なる複数の円型電極を備える構成であれば、円型電極の太さ、円型電極の直径及び隣の円型電極までの幅の値を使用する用途に応じて変更しても良い。
【００８２】
図１０は、本実施例の電極シート部において、図３に示した電極シート部１５の電極部１５０の他の例を示した下面図である。
【００８３】
図１０に示すように、電極シート部１６は、図３で示した電極シート部１５と同様に下面部分に導電部材から成る電極部１６０を備え、電極部１６０は、第１の円型電極１６０１、第２の円型電極１６０２、第３の円型電極１６０３、第４の円型電極１６０４、第５の円型電極１６０５、第６の円型電極１６０６、中央電極１６０７及び直線電極１６０８を備える。
【００８４】
第１の円型電極１６０１〜第６の円型電極１６０６は、図３で示した第１の円型電極１５０１〜第６の円型電極１５０６と同様に導電性を有する細い電極パターンから成り、電極シート部１６の中央を略中心としたそれぞれ直径が異なる同心円型を形成する。中央電極１６０７は、図３で示した中央電極１５０７と同様に導電性を有する薄い円盤型を形成し、電極シート部１６の略中央に配設される。直線電極１６０８は、図３で示した直線電極１５０８と同様に導電性を有する細い電極パターンから成り、第１の円型電極１６０１〜第６の円型電極１６０６及び中央電極１６０７を直線で電気的に接続する。
【００８５】
図１０に示すように、第１の円型電極１６０１〜第６の円型電極１６０６の内で１番外形の大きい円を形成する第６の円型電極１６０６の直径Ｌは約１５０ｍｍとし、また、第１の円型電極１６０１〜第６の円型電極１６０６の太さＭはそれぞれ略同一の太さである約１．１ｍｍとする。また、第１の円型電極１５０１〜第６の円型電極１５０６における隣の円型電極までの幅はそれぞれ略同一の幅とし、それぞれの幅Ｎは約６ｍｍとする。
【００８６】
以上のように図３で示した電極シート部１５の構成を、図１０で示す電極シート部１６のように第１の円型電極１６０１〜第６の円型電極１６０６の太さを略同一の太さＭとし、また、第１の円型電極１６０１〜第６の円型電極１６０６における隣の電極までの幅をそれぞれ略同一の幅Ｎにすることによって、電極シート部のコストを低減させることができる。
【００８７】
本実施例の再生装置１は、図４〜図６の過程図及び図７〜図９のフローチャート図に示すように、メモリに予め定めた静電容量の放電カウントの閾値Ａ、時間Ｔ２、Ｔ３並びに静電容量の放電カウントの変化値Ｈ１、Ｈ２、Ｈ３及びＨ４に基づいて操作円盤部５のタッチON判別及びOFF判別を行う構成としたが、ＤＪが操作円盤部に指をタッチさせたか否かを正確に判別することができる構成であれば、例えば、メモリに予め定めた静電容量の放電カウントの閾値Ａ以上か否かのみに応じて操作円盤部５のタッチON判別及びタッチOFF判別をする構成としても良いし、他の構成によって操作円盤部５のタッチON判別及びタッチOFF判別をする構成としても良い。
【産業上の利用可能性】
【００８８】
本発明は、光ディスクから読み取ったオーディオデータを記憶部に記憶し、記憶部に記憶したオーディオデータの読み出し速度及び読み出し順序を指示する操作円盤部を備えた光ディスク再生装置に有用に用いることができる。
【符号の説明】
【００８９】
１  再生装置、２  筐体、２０１  孔、
３  回転軸、４  軸受部、５  操作円盤部、５０１  孔、５０２  凹部、
６  スケール部、６０１  孔、６０２スリット部、
７  光センサ部、
１５  電極シート部、１５０  電極部、
１５０１  第１の円型電極、１５０２  第２の円型電極、１５０３  第３の円型電極、
１５０４  第４の円型電極、１５０５  第５の円型電極、１５０６  第６の円型電極、
１５０７  中央電極、１５０８  直線電極、
１６  電極シート部、１６０  電極部、
１６０１  第１の円型電極、１６０２  第２の円型電極、１６０３  第３の円型電極、
１６０４  第４の円型電極、１６０５  第５の円型電極、１６０６  第６の円型電極、
１６０７  中央電極、１６０８  直線電極、
２０  再生部、２１  信号処理部、２２  メモリ制御部、２３  ＲＡＭ、２４  ＤＡＣ、
２５  出力端子、２６  制御部、２７  記憶部、
３０  操作部、３１  タッチ判別部、４０  表示部、
５０  回転操作部
【図１】
0006008588.tif 000002
【図２】
0006008588.tif 000003
【図３】
0006008588.tif 000004
【図４】
0006008588.tif 000005
【図５】
0006008588.tif 000006
【図６】
0006008588.tif 000007
【図７】
0006008588.tif 000008
【図８】
0006008588.tif 000009
【図９】
0006008588.tif 000010
【図１０】
0006008588.tif 000011